【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
互いに対向配置された第１基板と第２基板との間に液晶層が挟持された液晶セルを有する液晶表示装置であって、
前記第２基板の内面側に、所定の回転方向を持つ円偏光または楕円偏光のうちの一部を反射させ、一部を透過させるコレステリック液晶層を有する半透過反射層が設けられ、前記液晶セルに対して前記第２基板側から光を入射させる照明装置が備えられ、前記液晶層に対して前記第１基板側から円偏光または楕円偏光を入射させる第１楕円偏光入射手段と前記第２基板側から円偏光または楕円偏光を入射させる第２楕円偏光入射手段とが設けられるとともに、前記液晶層は、入射した楕円偏光の回転方向を反転させることが可能とされ、前記半透過反射層が、互いに補色の関係にある２色の光をそれぞれ選択反射させる２層のコレステリック液晶層からなることを特徴とする液晶表示装置。
【請求項２】
前記第１楕円偏光入射手段および前記第２楕円偏光入射手段が、一方向の直線偏光を透過する偏光板と、該偏光板を透過した直線偏光を円偏光または楕円偏光に変換する位相差板とを有することを特徴とする請求項１に記載の液晶表示装置。
【請求項３】
前記位相差板が１／４波長板であることを特徴とする請求項２に記載の液晶表示装置。
【請求項４】
前記半透過反射層の前記液晶層側、前記第２基板側の少なくともいずれか一方に、異なる色の複数の色素層を有するカラーフィルターが設けられたことを特徴とする請求項１ないし３のいずれか一項に記載の液晶表示装置。
【請求項５】
前記照明装置の発光スペクトルが複数のピーク波長を有し、いずれかのピーク波長間の谷間の発光輝度が低い波長に、前記２層のコレステリック液晶層の少なくともいずれか一方の選択反射波長が重なっていることを特徴とする請求項１ないし４のいずれか一項に記載の液晶表示装置。
【請求項６】
前記２層のコレステリック液晶層の反射率を異ならせたことを特徴とする請求項１ないし５のいずれか一項に記載の液晶表示装置。
【請求項７】
請求項１ないし６のいずれか一項に記載の液晶表示装置を備えたことを特徴とする電子機器。
【手続補正２】
【補正対象書類名】明細書
【補正対象項目名】００１９
【補正方法】変更
【補正の内容】
【００１９】
【課題を解決するための手段】
上記の目的を達成するために、本発明の液晶表示装置は、互いに対向配置された第１基板と第２基板との間に液晶層が挟持された液晶セルを有する液晶表示装置であって、前記第２基板の内面側に、所定の回転方向を持つ円偏光または楕円偏光のうちの一部を反射させ、一部を透過させるコレステリック液晶層を有する半透過反射層が設けられ、前記液晶セルに対して前記第２基板側から光を入射させる照明装置が備えられ、前記液晶層に対して前記第１基板側から円偏光または楕円偏光を入射させる第１楕円偏光入射手段と前記第２基板側から円偏光または楕円偏光を入射させる第２楕円偏光入射手段とが設けられるとともに、前記液晶層は、入射した楕円偏光の回転方向を反転させることが可能とされ、前記半透過反射層が、互いに補色の関係にある２色の光をそれぞれ選択反射させる２層のコレステリック液晶層からなることを特徴とする。なお、本発明における「補色」とは、加法混色によって無彩色を作ることができる２つの色のことを言う。
【手続補正３】
【補正対象書類名】明細書
【補正対象項目名】００２２
【補正方法】変更
【補正の内容】
【００２２】
図４は本発明の液晶表示装置の表示原理を説明するための図である。
一対の透光性基板からなる上基板１（第１基板）と下基板２（第２基板）との間に液晶層３が挟持されて液晶セル４が構成されている。下基板２の内面側には、コレステリック液晶層８からなる半透過反射層７が設けられている。コレステリック液晶層８は、所定の波長帯域（色）、所定の回転方向を持つ円偏光を反射させ、残りの光を透過させるものであり、本説明では例えば任意の色の右回りの円偏光（以下、右円偏光という）を透過させるものとする。
【手続補正４】
【補正対象書類名】明細書
【補正対象項目名】００２３
【補正方法】変更
【補正の内容】
【００２３】
また、本発明の液晶表示装置は、液晶層３に対して上基板１側から楕円偏光を入射させる上基板側楕円偏光入射手段（第１楕円偏光手段）が設けられており、図４では一方向の直線偏光を透過する上偏光板９とこの上偏光板９を透過した直線偏光を円偏光に変換する上１／４波長板１０とが上基板側楕円偏光入射手段を構成している。さらに、図４では液晶層３に対して下基板２側から楕円偏光を入射させる下基板側楕円偏光入射手段（第２楕円偏光手段）も設けられており、上基板１側と同様、下偏光板１１と下１／４波長板１２とが下基板側楕円偏光入射手段を構成している。ここでは、上基板側、下基板側ともに、偏光板９，１１の透過軸を図４の紙面に平行な方向とし、この方向の直線偏光が１／４波長板１０，１２に入射された場合に右円偏光が出射されるものとする。
【手続補正５】
【補正対象書類名】明細書
【補正対象項目名】００３９
【補正方法】変更
【補正の内容】
【００３９】
さらに、前記半透過反射層の上層側（液晶層側）、下層側（第２基板側）の少なくともいずれか一方に、異なる色の顔料を含む複数の色素層を有するカラーフィルターを設ける構成としてもよい。
上記のようなカラーフィルターを設けることによって、カラー表示が可能な液晶表示装置を実現することができる。特に半透過反射層の上層側に設けた場合、反射モード、透過モードともにカラー表示を実現することができる。半透過反射層の下層側にのみ設けた場合、透過モードをカラー表示とすることができる。半透過反射層の上層側、下層側の双方に設けてもよい。
【手続補正６】
【補正対象書類名】明細書
【補正対象項目名】００４４
【補正方法】変更
【補正の内容】
【００４４】
本実施の形態の液晶表示装置２０は、図１に示すように、液晶セル２１とバックライト２２（照明装置）とを備えたものである。液晶セル２１は、下基板２３（第２基板）と上基板２４（第１基板）とが対向配置され、シール材２５を介して貼り合わされている。これら上基板２４と下基板２３とシール材２５とによって囲まれた空間に、位相差を例えばλ／２に設定したネマチック液晶などからなる液晶層２６が封入されている。液晶セル２１の後面側（下基板２３の外面側）にバックライト２２が配置されている。バックライト２２は、白色ＬＥＤ（発光ダイオード）等からなる光源２７、導光板２８、反射板２９などを備えている。
【手続補正７】
【補正対象書類名】明細書
【補正対象項目名】００５０
【補正方法】変更
【補正の内容】
【００５０】
上基板２４の外面側には、上位相差板４２と上偏光板４３（双方で上基板側楕円偏光入射手段（第１楕円偏光手段）を構成する）とが基板側からこの順に設けられている。一方、下基板２３の外面側には、下位相差板４４と下偏光板４５（双方で下基板側楕円偏光入射手段（第２楕円偏光手段）を構成する）とが基板側からこの順に設けられている。これら位相差板４２，４４と偏光板４３，４５は、液晶層２６に対して所定の回転方向を持つ円偏光を入射させるためのものであり、上位相差板４２、下位相差板４４としては、１／４波長板を用いるのが一般的である。ただし、特に上基板２４側に設ける位相差板に色補償の機能も持たせたい場合には必ずしも１／４波長板を用いることはなく、任意の位相差を持つ位相差板を選択すればよい。